(57)【要約】【課題】媒体をセットする回転体の回転軸を中心とする同心円上に所定の間隔をあけて複数の液体吐出部が配置される液体吐出装置において、複数の液体吐出部のうちの１の液体吐出部によって液体が吐出されてから、該液体が吐出された位置と隣接する位置に別の液体吐出部によって別の液体が吐出されるまでにおける、先に吐出された液体の乾燥状態のばらつきの低減を可能にする。【解決手段】媒体Ｍをセットする回転体３と、回転体３にセットされた媒体Ｍに液体を吐出する液体吐出部Ｄ１、Ｄ２、Ｄ３及びＤ４と、を備え、液体吐出部Ｄ１、Ｄ２、Ｄ３及びＤ４は、回転体３の回転軸５を中心とする同心円上に所定の間隔Ｓ１、Ｓ２、Ｓ３及びＳ４をあけて複数配置され、各々の液体吐出部Ｄ１、Ｄ２、Ｄ３及びＤ４から吐出される前記液体は、乾燥性が異なる。【選択図】図１
2016010864.tif 000002
【特許請求の範囲】
【請求項１】
媒体をセットする回転体と、
前記回転体にセットされた前記媒体に液体を吐出する液体吐出部と、を備え、
前記液体吐出部は、前記回転体の回転軸を中心とする同心円上に所定の間隔をあけて複数配置され、
各々の前記液体吐出部から吐出される前記液体は、乾燥性が異なることを特徴とする液体吐出装置。
【請求項２】
請求項１に記載の液体吐出装置において、
前記所定の間隔は、前記液体の乾燥性に対応して設定されていることを特徴とする液体吐出装置。
【請求項３】
請求項２に記載の液体吐出装置において、
前記所定の間隔は、前記液体の単位量当たりの乾燥時間に対応して設定されていることを特徴とする液体吐出装置。
【請求項４】
請求項２又は３に記載の液体吐出装置において、
前記所定の間隔は、前記液体の乾燥性の比に対応して設定されていることを特徴とする液体吐出装置。
【請求項５】
請求項１に記載の液体吐出装置において、
前記所定の間隔における前記液体吐出部同士の間に、前記液体の乾燥性に対応して出力が設定されている乾燥部を備えることを特徴とする液体吐出装置。
【請求項６】
請求項５に記載の液体吐出装置において、
前記出力は、前記液体の単位量当たりの乾燥時間に対応して設定されていることを特徴とする液体吐出装置。
【請求項７】
請求項５又は６に記載の液体吐出装置において、
前記出力は、前記液体の乾燥性の比に対応して設定されていることを特徴とする液体吐出装置。
【発明の詳細な説明】
【技術分野】
【０００１】
本発明は、液体吐出装置に関する。
【背景技術】
【０００２】
従来から、媒体をセットする回転体の回転軸を中心とする同心円上に所定の間隔をあけて複数の液体吐出部が配置される液体吐出装置が使用されている。  
例えば、特許文献１には、異なる色のインクを吐出する複数のインクジェットヘッド（液体吐出部）が描画ドラム（回転体）の周囲に設けられた画像形成装置（液体吐出装置）が開示されている。
【先行技術文献】
【特許文献】
【０００３】
【特許文献１】特開２０１１−６２９８８号公報
【発明の概要】
【発明が解決しようとする課題】
【０００４】
しかしながら、特許文献１のような従来の液体吐出装置においては、複数の液体吐出部のうちの１の液体吐出部によって液体が吐出されてから、該液体が吐出された位置と隣接する位置に別の液体吐出部によって別の液体が吐出されるまでにおける、先に吐出された液体の乾燥状態が各々の液体の乾燥性によってばらつくことがあった。このような乾燥状態のばらつきがあると、媒体に先に吐出された液体と後に吐出された液体との滲み状態もばらつくので、媒体に形成される画像などの品質が低下する場合があった。例えば、特許文献１の液体吐出装置においては、マゼンタインク、ブラックインク、シアンインク、イエローインクの順に記録がなされるが、各々のインクの乾燥性が異なる場合、マゼンタインクと隣接する位置にブラックインクを吐出した際のマゼンタインクとブラックインクの滲み状態と、ブラックインクと隣接する位置にシアンインクを吐出した際のブラックインクとシアンインクの滲み状態と、がばらつき、画像品質が低下する場合があった。  
なお、特許文献１には、複数のインクジェットヘッドの間の間隔についての記載はない。また、一のインクジェットヘッドによってインクが吐出されてから、別のインクジェットヘッドによって別のインクが先に吐出されたインクと隣接する位置に吐出されるまでにおける、先に吐出されたインクの乾燥状態についての記載はない。したがって、該乾燥状態のばらつきを低減することについては考慮されていない。
【０００５】
そこで、本発明の目的は、液体が吐出されてから、該液体が吐出された位置または隣接する位置に別の液体が吐出されるまでにおける、先に吐出された液体の乾燥状態のばらつきの低減を可能にすることである。
【課題を解決するための手段】
【０００６】
上記課題を解決するための本発明の第１の態様の液体吐出装置は、媒体をセットする回転体と、前記回転体にセットされた前記媒体に液体を吐出する液体吐出部と、を備え、前記液体吐出部は、前記回転体の回転軸を中心とする同心円上に所定の間隔をあけて複数配置され、各々の前記液体吐出部から吐出される前記液体は、乾燥性が異なることを特徴とする。
【０００７】
本発明の第２の態様の液体吐出装置は、前記第１の態様において、前記所定の間隔は、前記液体の乾燥性に対応して設定されていることを特徴とする。
【０００８】
本発明の第３の態様の液体吐出装置は、前記第２の態様において、前記所定の間隔は、前記液体の単位量当たりの乾燥時間に対応して設定されていることを特徴とする。
【０００９】
本発明の第４の態様の液体吐出装置は、前記第２又は第３の態様において、前記所定の間隔は、前記液体の乾燥性の比に対応して設定されていることを特徴とする。
【００１０】
本発明の第５の態様の液体吐出装置は、前記第１の態様において、前記所定の間隔における前記液体吐出部同士の間に、前記液体の乾燥性に対応して出力が設定されている乾燥部を備えることを特徴とする。
【００１１】
本発明の第６の態様の液体吐出装置は、前記第５の態様において、前記出力は、前記液体の単位量当たりの乾燥時間に対応して設定されていることを特徴とする。
【００１２】
本発明の第７の態様の液体吐出装置は、前記第５又は第６の態様において、前記出力は、前記液体の乾燥性の比に対応して設定されていることを特徴とする。
【発明の効果】
【００１３】
本発明によれば、媒体をセットする回転体の回転軸を中心とする同心円上に所定の間隔をあけて複数の液体吐出部が配置される液体吐出装置において、複数の液体吐出部のうちの１の液体吐出部によって液体が吐出されてから、該液体が吐出された位置と隣接する位置に別の液体吐出部によって別の液体が吐出されるまでにおける、先に吐出された液体の乾燥状態のばらつきを低減することができる。
【図面の簡単な説明】
【００１４】
【図１】本発明の実施例１に係る記録装置を表す概略斜視図。
【図２】本発明の実施例１に係る記録装置を表す概略平面図。
【図３】本発明の実施例１に係る記録装置の要部を表す概略平面図。
【図４】本発明の実施例２に係る記録装置を表す概略平面図。
【図５】本発明の実施例３に係る記録装置を表す概略平面図。
【図６】本発明の参考例に係る記録装置を表す概略平面図。
【発明を実施するための形態】
【００１５】
［実施例１］（図１〜図３）  
以下に、本発明の液体吐出装置としての一実施例に係る記録装置について、添付図面を参照して詳細に説明する。  
なお、本実施例の記録装置は、弾性変形可能な立体的な媒体Ｍ（図３参照）に記録可能な記録装置であるが、このような構成の記録装置に限定されず、例えば、回転体としてのドラムの外周面でシート状の媒体を支持して該媒体に記録する構成の記録装置も本発明に含まれる。また、本実施例の記録装置は鉛直方向である方向Ｂの回転軸を有する回転体を備えているが、このような構成の記録装置に限定されず、例えば、水平方向の回転軸を有する回転体を備えていてもよい。
【００１６】
ここで、図１は本実施例の記録装置１を表す概略斜視図であり、媒体Ｍのセット部４に、媒体Ｍをセットしていない状態を表す図である。図２は本実施例の記録装置１を表す概略平面図であり、セット部４を省略した図である。図３は本実施例の記録装置１の要部を表す概略平面図であり、セット部４のセット位置６に媒体Ｍをセットした状態を表す図である。
【００１７】
図１及び図２で表されるように、本実施例の記録装置１は、基体部２を備えており、基体部２には、回転軸５を基準に方向Ｃに回転する回転体３と、該回転体３の周りに配置された液体吐出部Ｄ１、Ｄ２、Ｄ３及びＤ４と、が設けられている。ここで、液体吐出部Ｄ１、Ｄ２、Ｄ３及びＤ４は、回転軸５を中心とする同心円上に所定の間隔Ｓ１、Ｓ２、Ｓ３及びＳ４をあけて設けられている。  
なお、液体吐出部Ｄ１、Ｄ２、Ｄ３及びＤ４は、インクを吐出するノズルを方向Ｂに複数設けた所謂ラインヘッドである。  
ここで、「ラインヘッド」とは、方向Ｂに形成されたノズルの領域が、媒体Ｍの方向Ｂ全体をカバー可能なように設けられ、液体吐出部又は媒体Ｍを相対的に移動させて画像を形成する液体吐出部装置に用いられる液体吐出部である。なお、ラインヘッドの方向Ｂのノズルの形成される領域は、液体吐出部装置が対応している全ての媒体Ｍの方向Ｂ全体をカバー可能でなくてもよい。
【００１８】
なお、本実施例の記録装置１は、液体吐出部Ｄ１からブラックインクを吐出可能であり、液体吐出部Ｄ２からイエローインクを吐出可能であり、液体吐出部Ｄ３からマゼンタインクを吐出可能であり、液体吐出部Ｄ４からシアンインクを吐出可能である。また、液体吐出部Ｄ１のインクの吐出方向は方向Ａ１であり、液体吐出部Ｄ２のインクの吐出方向は方向Ａ２であり、液体吐出部Ｄ３のインクの吐出方向は方向Ａ３であり、液体吐出部Ｄ４のインクの吐出方向は方向Ａ４である。  
そして、マゼンタインク及びシアンインクの乾燥性は同等であるが、マゼンタインク及びシアンインクに比べて、ブラックインクは乾燥しづらく、イエローインクは乾燥しやすい組成になっている。
【００１９】
また、図１で表されるように、本実施例の記録装置１は、回転体３に複数のセット部４が設けられている。詳細には、セット部４は、回転体３において回転軸５を中心とする同心円上に並べて設けられている。
【００２０】
ここで、図３を用いてセット部４について詳細に説明する。図３は、液体吐出部Ｄ３に対向する位置に、媒体Ｍをセットしたセット部４がある状態を表している。  
なお、ここで、媒体Ｍをセットするとは、媒体Ｍを保持して回転中心（回転軸５）に対する位置を固定することを意味する。  
図３で表されるように、セット部４は、液体吐出部Ｄ３に対向する位置にあるときにおいて方向Ａ３の位置を規定する押さえ部材としての役割を有する押さえ部７が設けられている。また、セット部４は、付勢部材の役割を有し、弾性変形可能な媒体Ｍを圧縮することにより発生する該媒体Ｍの伸張する力により、該媒体Ｍを押さえ部７に付勢する壁部８が設けられている。  
本実施例のセット部４は、このような構成により、各液体吐出部Ｄ１、Ｄ２、Ｄ３及びＤ４の吐出位置での液体吐出部と媒体Ｍとの距離（所謂ＰＧ）を一定に保っている。
【００２１】
なお、本実施例の記録装置１は、媒体Ｍのセット部４へのセット方向が鉛直方向Ｂにおける下向き方向である。これにより、媒体Ｍをセット部４へ重力がかかる方向にセットできるので該セットが容易になっている。  
ただし、媒体Ｍのセット部の構成はこのような構成に限定されない。例えば、回転体３に一体的に形成されたセット部としてもよい。
【００２２】
このように、本実施例の記録装置１は、回転体３にセット部４が複数設けられており、該回転体３の周りに液体吐出部Ｄ１、Ｄ２、Ｄ３及びＤ４が配置されている。このような構成のため、セット部４にセットされた媒体Ｍは、液体吐出部Ｄ１、Ｄ２、Ｄ３及びＤ４の夫々により、順番にインクが吐出されて画像が形成される。例えば、最初に液体吐出部Ｄ１からインクが吐出された媒体Ｍは、次に、間隔Ｓ１に対応する距離だけ移動した後に液体吐出部Ｄ２からインクが吐出される。そして、その後、間隔Ｓ２に対応する距離だけ移動した後に液体吐出部Ｄ３からインクが吐出され、間隔Ｓ３に対応する距離だけ移動した後に液体吐出部Ｄ４からインクが吐出される。そして、さらにその後、間隔Ｓ４に対応する距離だけ移動した後に液体吐出部Ｄ１からインクが吐出され、画像の形成が終了するまでこのような一連の記録動作が繰り返される。
【００２３】
ここで、図１及び図２で表されるように、間隔Ｓ１、Ｓ２、Ｓ３及びＳ４は一定ではない。具体的には、間隔Ｓ３及びＳ４は同等であるが、間隔Ｓ１は間隔Ｓ３及びＳ４よりも長くなっており、間隔Ｓ２は間隔Ｓ３及びＳ４よりも短くなっている。なお、上記のように、液体吐出部Ｄ３から吐出されるマゼンタインク及び液体吐出部Ｄ４から吐出されるシアンインクに比べて、液体吐出部Ｄ１から吐出されるブラックインクは乾燥しづらく、液体吐出部Ｄ２から吐出されるイエローインクは乾燥しやすい組成になっている。すなわち、本実施例の記録装置１は、インクの乾燥性に対応して所定の間隔Ｓ１、Ｓ２、Ｓ３及びＳ４が設定されていると言え、複数の液体吐出部Ｄ１、Ｄ２、Ｄ３及びＤ４によって先に吐出されてから後に吐出されるまでのインクの乾燥状態のばらつきが少なくなるように構成されていると言える。乾燥しづらいブラックインクを所定の乾燥状態にするため間隔Ｓ１を長くし、乾燥しやすいイエローインクを所定の乾燥状態にするため間隔Ｓ２を短くしている。
【００２４】
一方、間隔Ｓ１、Ｓ２、Ｓ３及びＳ４が等間隔であること以外は本実施例の記録装置１と同様な構成である、図６で表される参考例の記録装置１では、液体吐出部Ｄ２の吐出位置に媒体Ｍが移動してきた際の液体吐出部Ｄ１から吐出されたブラックインクの乾燥状態と、液体吐出部Ｄ３の吐出位置に媒体Ｍが移動してきた際の液体吐出部Ｄ２から吐出されたイエローインクの乾燥状態とは、明らかに異なる。ブラックインクはイエローインクよりも乾燥しにくいにもかかわらず、液体吐出部Ｄ１の吐出位置から液体吐出部Ｄ２の吐出位置に至る時間と液体吐出部Ｄ２の吐出位置から液体吐出部Ｄ３の吐出位置に至る時間とは同様になるためである。すなわち、複数の液体吐出部Ｄ１、Ｄ２、Ｄ３及びＤ４によって先に吐出されてから後に吐出されるまでのインクの乾燥状態にばらつきが生じることとなる。
【００２５】
複数の液体吐出部Ｄ１、Ｄ２、Ｄ３及びＤ４によって先に吐出されてから後に吐出されるまでのインクの乾燥状態にばらつきが生じると、形成される画像の品質が低下する場合がある。例えば、乾燥したインクドットに隣接して新たなインクドットが吐出された場合の両者のインクの滲み方やドット径と、乾燥していないインクドットに隣接して新たなインクドットが吐出された場合の両者のインクの滲み方やドット径とは異なる。このため、両者のインクの滲み方やドット径がばらつくことにより形成される画像の品質が低下する場合がある。  
したがって、このような画像の品質の低下を抑制するためには、複数の液体吐出部Ｄ１、Ｄ２、Ｄ３及びＤ４によって先に吐出されてから後に吐出されるまでのインクの乾燥状態のばらつきを低減することが必要になる。
【００２６】
上記のように、本実施例の記録装置１は、媒体Ｍをセットする回転体３と、回転体３にセットされた媒体Ｍにインクを吐出する液体吐出部Ｄ１、Ｄ２、Ｄ３及びＤ４と、を備えている。そして、液体吐出部Ｄ１、Ｄ２、Ｄ３及びＤ４は、回転体３の回転軸５を中心とする同心円上に所定の間隔Ｓ１、Ｓ２、Ｓ３及びＳ４をあけて複数配置され、各々の液体吐出部Ｄ１、Ｄ２、Ｄ３及びＤ４から吐出されるインクは、乾燥性が異なっている。  
このように、液体吐出部Ｄ１、Ｄ２、Ｄ３及びＤ４を回転体３の回転軸５を中心とする同心円上に所定の間隔Ｓ１、Ｓ２、Ｓ３及びＳ４をあけて複数配置することで、例えば、本実施例の記録装置１のように、インクの乾燥性に対応して該間隔の設定などの乾燥条件を設定することにより、複数の液体吐出部Ｄ１、Ｄ２、Ｄ３及びＤ４のうちの１の液体吐出部によってインクが吐出されてから、該インクが吐出された位置と隣接する位置に別の液体吐出部によって別のインクが吐出されるまでにおける、先に吐出されたインクの乾燥状態のばらつき（複数の液体吐出部Ｄ１、Ｄ２、Ｄ３及びＤ４によって先に吐出されてから後に吐出されるまでのインクの乾燥状態のばらつき）を低減することができる。
【００２７】
また、本実施例の記録装置１における所定の間隔Ｓ１、Ｓ２、Ｓ３及びＳ４は、インクの乾燥性に対応して設定されている。  
このため、複数の液体吐出部Ｄ１、Ｄ２、Ｄ３及びＤ４によって先に吐出されてから後に吐出されるまでのインクの乾燥状態のばらつきを低減している。
【００２８】
具体的には、所定の間隔Ｓ１、Ｓ２、Ｓ３及びＳ４は、ブラックインク、イエローインク、マゼンタインク及びシアンインクを、所定量、所定環境下において所定容器に入れて、その重量変化が実質的になくなる時間を測定し、その時間の比に対応して設定されている。  
別の表現をすると、所定の間隔Ｓ１、Ｓ２、Ｓ３及びＳ４は、液体の単位量当たりの乾燥時間に対応して設定されている。  
ここで、「液体の単位量当たりの乾燥時間」とは、上記のように、所定環境下において所定容器に入れられた所定量の液体の重量変化が実質的になくなる時間を意味し、液体が蒸発して無くなるまでの時間のほか、液体が吸湿性の溶剤などを有していた場合において平衡状態になるまでの時間等を含む意味である。また、該所定環境、所定容器及び所定量は、液体吐出装置（記録装置等）の使用条件等に合せて適宜決定することができるものである。  
本実施例の記録装置１においては、所定の間隔Ｓ１、Ｓ２、Ｓ３及びＳ４は、上記各インクの単位量当たりの乾燥時間に対応して設定されている。そして、本実施例では、前記所定環境を記録装置１の使用条件に合せ、該使用条件等に合せた間隔としている。このため、複数の液体吐出部Ｄ１、Ｄ２、Ｄ３及びＤ４によって先に吐出されてから後に吐出されるまでのインクの乾燥状態のばらつきを効果的に低減している。
【００２９】
また、所定の間隔Ｓ１、Ｓ２、Ｓ３及びＳ４は、インクの乾燥性の比に対応して設定されているので、乾燥状態の相違が抑制され、複数の液体吐出部Ｄ１、Ｄ２、Ｄ３及びＤ４から吐出される各々のインク全てにおいて、複数の液体吐出部Ｄ１、Ｄ２、Ｄ３及びＤ４によって先に吐出されてから後に吐出されるまでのインクの乾燥状態のばらつきを低減している。
【００３０】
なお、本実施例の記録装置１は、液体吐出部Ｄ１、Ｄ２、Ｄ３及びＤ４は基体部２に固定されているが、回転軸５を中心とする同心円上に移動可能な構成としてもよい。このような構成とすることで、液体吐出部Ｄ１、Ｄ２、Ｄ３及びＤ４から吐出される液体の種類を変更しても、その変更した液体の乾燥性に合せて間隔Ｓ１、Ｓ２、Ｓ３及びＳ４を調整可能になるためである。
【００３１】
また、本実施例の記録装置１は、回転体３が複数回回転することにより、セット部４にセットされた媒体Ｍに対して画像の形成を完成させることが可能な構成である。例えば、回転体３を４回転させて画像の形成を完成させる場合、１回転目で液体吐出部Ｄ１、Ｄ２、Ｄ３及びＤ４各々により完成画像の約４分の１のインクを吐出する。そして、１回転目と同様、２回転目、３回転目及び４回転目においても液体吐出部Ｄ１、Ｄ２、Ｄ３及びＤ４各々により完成画像の約４分の１ずつのインクを吐出して画像を完成させる。  
しかしながら、このような構成に限定されず、回転体３の１回の回転で、セット部４にセットされた媒体Ｍに対して画像の形成を完成させることが可能な構成であってもよい。
【００３２】
また、本実施例の記録装置１は、液体吐出部を４つ備える構成であるが、液体吐出部の数は４つに限定されない。そして、液体吐出部から吐出される液体の種類もブラックインク、イエローインク、マゼンタインク及びシアンインクに限定されず、例えば、ホワイトインクや色材を含有しないクリアインク等を用いてもよい。さらに、本実施例の記録装置１は、４つの液体吐出部Ｄ１、Ｄ２、Ｄ３及びＤ４の何れも１種類の液体を吐出する構成であるが、各々の液体吐出部の少なくとも１つが複数種類の液体を吐出可能な構成であってもよい。
【００３３】
［実施例２］（図４）
次に、実施例２の記録装置について、添付図面を参照して詳細に説明する。  
図４は実施例２の記録装置１を表す概略平面図であり、実施例１の記録装置１における図２に対応する図である。なお、上記実施例と共通する構成部材は同じ符号で示しており、詳細な説明は省略する。  
なお、本実施例の記録装置１は、液体吐出部Ｄ１、Ｄ２、Ｄ３及びＤ４同士の間隔Ｓ１、Ｓ２、Ｓ３及びＳ４に、媒体Ｍに吐出されたインクを乾燥するためのヒーターＨ１、Ｈ２、Ｈ３及びＨ４が設けられている以外は実施例１の記録装置１と同様の構成である。
【００３４】
本実施例の記録装置１は、図４で表されるように、液体吐出部Ｄ１及びＤ２の間隔Ｓ１にヒーターＨ１、液体吐出部Ｄ２及びＤ３の間隔Ｓ２にヒーターＨ２、液体吐出部Ｄ３及びＤ４の間隔Ｓ３にヒーターＨ３、液体吐出部Ｄ４及びＤ１の間隔Ｓ４にヒーターＨ４を備えている。そして、ヒーターＨ１、Ｈ２、Ｈ３及びＨ４は同様の構成のヒーターである。  
ここで、本実施例の記録装置１は、実施例１の記録装置１と同様、液体吐出部Ｄ１からブラックインクを吐出可能であり、液体吐出部Ｄ２からイエローインクを吐出可能であり、液体吐出部Ｄ３からマゼンタインクを吐出可能であり、液体吐出部Ｄ４からシアンインクを吐出可能である。そして、マゼンタインク及びシアンインクに比べて、ブラックインクは乾燥しづらく、イエローインクは乾燥しやすい組成になっている。
【００３５】
本実施例の記録装置１は、このような構成となっていることにより、実施例１の記録装置１よりもインクの乾燥性能が高い。そして、実施例１の記録装置１と同様、所定の間隔Ｓ１、Ｓ２、Ｓ３及びＳ４は、インクの乾燥性に対応して設定されていると言える。  
このため、実施例１の記録装置１と同様、複数の液体吐出部Ｄ１、Ｄ２、Ｄ３及びＤ４によって先に吐出されてから後に吐出されるまでのインクの乾燥状態のばらつきを低減しているとともに、実施例１の記録装置１よりも回転体３の回転速度を速くして記録する（高速で記録する）ことができる。
【００３６】
［実施例３］（図５）
次に、実施例３の記録装置について、添付図面を参照して詳細に説明する。  
図５は実施例３の記録装置１を表す概略平面図であり、実施例１の記録装置１における図２及び実施例２の記録装置１における図４に対応する図である。なお、上記実施例と共通する構成部材は同じ符号で示しており、詳細な説明は省略する。  
なお、本実施例の記録装置１は、液体吐出部Ｄ１、Ｄ２、Ｄ３及びＤ４同士の間隔Ｓ１、Ｓ２、Ｓ３及びＳ４が等間隔であることと、媒体Ｍに吐出されたインクを乾燥するためのヒーターのうちのヒーターＨ１及びＨ２が出力の異なるヒーターであること以外は実施例２の記録装置１と同様の構成である。
【００３７】
実施例１及び２の記録装置１は、複数の液体吐出部Ｄ１、Ｄ２、Ｄ３及びＤ４によって先に吐出されてから後に吐出されるまでのインクの乾燥状態のばらつきを低減するために、これらの間隔Ｓ１、Ｓ２、Ｓ３及びＳ４をインクの乾燥性に対応して異ならせて乾燥時間を異ならせる構成であった。  
一方、本実施例の記録装置１は、液体吐出部Ｄ１、Ｄ２、Ｄ３及びＤ４同士の間隔Ｓ１、Ｓ２、Ｓ３及びＳ４を等間隔とし、乾燥時間を異ならせる代わりにヒーターの出力をインクの乾燥性に対応して異ならせて乾燥温度を異ならせる構成である。  
なお、本実施例の記録装置１は、媒体Ｍの乾燥部としてヒーターＨ１、Ｈ２、Ｈ３及びＨ４を備える構成であるが、熱により媒体Ｍに吐出されたインクを乾燥させる乾燥部の代わりに、例えば、送風によりインクを乾燥させる乾燥部を備える構成であってもよい。
【００３８】
ここで、本実施例の記録装置１も、使用するインクは実施例１及び２で使用するインクと同様のインクであり、これらのインクを吐出する液体吐出部も同様である。すなわち、液体吐出部Ｄ１からブラックインクを吐出可能であり、液体吐出部Ｄ２からイエローインクを吐出可能であり、液体吐出部Ｄ３からマゼンタインクを吐出可能であり、液体吐出部Ｄ４からシアンインクを吐出可能である。そして、マゼンタインク及びシアンインクの乾燥性は同等であり、マゼンタインク及びシアンインクに比べて、ブラックインクは乾燥しづらく、イエローインクは乾燥しやすい組成になっている。
【００３９】
このような構成であるため、本実施例の記録装置１は、複数の液体吐出部Ｄ１、Ｄ２、Ｄ３及びＤ４によって先に吐出されてから後に吐出されるまでのインクの乾燥状態のばらつきを低減するために、ヒーターＨ１としてヒーターＨ３及びＨ４よりも高出力のヒーターを使用し、ヒーターＨ２としてヒーターＨ３及びＨ４よりも低出力のヒーターを使用している。なお、ヒーターＨ１、Ｈ２、Ｈ３及びＨ４に同じヒーターを使用し、ヒーター制御によって、ヒーターＨ１の位置のヒーターをヒーターＨ３及びＨ４よりも高出力で使用し、ヒーターＨ２の位置のヒーターをヒーターＨ３及びＨ４よりも低出力で使用する構成としてもよい。
【００４０】
上記のように、本実施例の記録装置１は、所定の間隔Ｓ１、Ｓ２、Ｓ３及びＳ４における液体吐出部Ｄ１、Ｄ２、Ｄ３及びＤ４同士の間に、インクの乾燥性に対応して出力が設定されているヒーターＨ１、Ｈ２、Ｈ３及びＨ４を備えている。  
このため、インクの乾燥性に対応して該出力が設定されていることにより、複数の液体吐出部Ｄ１、Ｄ２、Ｄ３及びＤ４によって先に吐出されてから後に吐出されるまでのインクの乾燥状態のばらつきを低減している。
【００４１】
また、本実施例の記録装置１においては、ヒーターＨ１、Ｈ２、Ｈ３及びＨ４の出力は、インクの単位量当たりの乾燥時間に対応して設定されている。そして、本実施例では、インクの単位量当たりの乾燥時間の測定条件としての測定環境を記録装置１の使用条件に合せ、ヒーターＨ１、Ｈ２、Ｈ３及びＨ４の出力を該使用条件等に合せた出力としている。このため、複数の液体吐出部Ｄ１、Ｄ２、Ｄ３及びＤ４によって先に吐出されてから後に吐出されるまでのインクの乾燥状態のばらつきを効果的に低減している。
【００４２】
また、本実施例の記録装置１においては、ヒーターＨ１、Ｈ２、Ｈ３及びＨ４の出力は、インクの乾燥性の比に対応して設定されている。  
このため、乾燥状態の相違が抑制され、複数の液体吐出部Ｄ１、Ｄ２、Ｄ３及びＤ４から吐出される各々のインク全てにおいて、複数の液体吐出部Ｄ１、Ｄ２、Ｄ３及びＤ４によって先に吐出されてから後に吐出されるまでのインクの乾燥状態のばらつきを低減している。  
また、回転体３の回転速度を調整することで、媒体Ｍが１つの液体吐出部から吐出された液体を受けた後、次の液体吐出部と対向する位置に到達するまでの時間を調整できる。その場合、回転体３は、液体吐出部間毎に回転速度を変動させることができるが、一定の速度を保持したまま回転する方が好ましい。
【００４３】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４４】
本発明の第１の態様の液体吐出装置１は、媒体Ｍをセットする回転体３と、回転体３にセットされた媒体Ｍに液体を吐出する液体吐出部Ｄ１、Ｄ２、Ｄ３及びＤ４と、を備え、液体吐出部Ｄ１、Ｄ２、Ｄ３及びＤ４は、回転体３の回転軸５を中心とする同心円上に所定の間隔Ｓ１、Ｓ２、Ｓ３及びＳ４をあけて複数配置され、各々の液体吐出部Ｄ１、Ｄ２、Ｄ３及びＤ４から吐出される前記液体は、乾燥性が異なることを特徴とする。
【００４５】
本態様によれば、液体吐出部Ｄ１、Ｄ２、Ｄ３及びＤ４は、回転体３の回転軸５を中心とする同心円上に所定の間隔Ｓ１、Ｓ２、Ｓ３及びＳ４をあけて複数配置される。このため、前記液体の乾燥性に対応して該間隔Ｓ１、Ｓ２、Ｓ３及びＳ４の設定などの乾燥条件を設定することにより、複数の液体吐出部Ｄ１、Ｄ２、Ｄ３及びＤ４のうちの１の液体吐出部によって液体が吐出されてから、該液体が吐出された位置と隣接する位置に別の液体吐出部によって別の液体が吐出されるまでにおける、先に吐出された液体の乾燥状態のばらつき（複数の液体吐出部Ｄ１、Ｄ２、Ｄ３及びＤ４によって先に吐出されてから後に吐出されるまでの液体の乾燥状態のばらつき）を低減することが可能になる。
【００４６】
本発明の第２の態様の液体吐出装置１は、前記第１の態様において、所定の間隔Ｓ１、Ｓ２、Ｓ３及びＳ４は、前記液体の乾燥性に対応して設定されていることを特徴とする。
【００４７】
本態様によれば、所定の間隔Ｓ１、Ｓ２、Ｓ３及びＳ４は、前記液体の乾燥性に対応して設定されている。このため、液体の乾燥性に対応して該間隔Ｓ１、Ｓ２、Ｓ３及びＳ４を設定することにより、複数の液体吐出部Ｄ１、Ｄ２、Ｄ３及びＤ４によって先に吐出されてから後に吐出されるまでの液体の乾燥状態のばらつきを低減することができる。
【００４８】
本発明の第３の態様の液体吐出装置１は、前記第２の態様において、所定の間隔Ｓ１、Ｓ２、Ｓ３及びＳ４は、前記液体の単位量当たりの乾燥時間に対応して設定されていることを特徴とする。
【００４９】
ここで、「液体の単位量当たりの乾燥時間」とは、所定環境下において所定容器に入れられた所定量の液体の重量変化が実質的になくなる時間を意味し、液体が蒸発して無くなるまでの時間のほか、液体が吸湿性の溶剤などを有していた場合において平衡状態になるまでの時間等を含む意味である。また、該所定環境、所定容器及び所定量は、液体吐出装置１の使用条件等に合せて適宜決定することができるものである。  
本態様によれば、所定の間隔Ｓ１、Ｓ２、Ｓ３及びＳ４は、前記液体の単位量当たりの乾燥時間に対応して設定されている。このため、例えば、前記所定環境を液体吐出装置１の使用条件に合せ、該使用条件等に合せた間隔とすることで、複数の液体吐出部Ｄ１、Ｄ２、Ｄ３及びＤ４によって先に吐出されてから後に吐出されるまでの液体の乾燥状態のばらつきを効果的に低減することができる。
【００５０】
本発明の第４の態様の液体吐出装置１は、前記第２又は第３の態様において、所定の間隔Ｓ１、Ｓ２、Ｓ３及びＳ４は、前記液体の乾燥性の比に対応して設定されていることを特徴とする。
【００５１】
本態様によれば、所定の間隔Ｓ１、Ｓ２、Ｓ３及びＳ４は、前記液体の乾燥性の比に対応して設定されている。このため、乾燥状態の相違が抑制され、複数の液体吐出部Ｄ１、Ｄ２、Ｄ３及びＤ４から吐出される各々の液体全てにおいて、複数の液体吐出部Ｄ１、Ｄ２、Ｄ３及びＤ４によって先に吐出されてから後に吐出されるまでの液体の乾燥状態のばらつきを低減することができる。
【００５２】
本発明の第５の態様の液体吐出装置１は、前記第１の態様において、所定の間隔Ｓ１、Ｓ２、Ｓ３及びＳ４における液体吐出部Ｄ１、Ｄ２、Ｄ３及びＤ４同士の間に、前記液体の乾燥性に対応して出力が設定されている乾燥部Ｈ１、Ｈ２、Ｈ３及びＨ４を備えることを特徴とする。
【００５３】
本態様によれば、所定の間隔Ｓ１、Ｓ２、Ｓ３及びＳ４における液体吐出部Ｄ１、Ｄ２、Ｄ３及びＤ４同士の間に、前記液体の乾燥性に対応して出力が設定されている乾燥部Ｈ１、Ｈ２、Ｈ３及びＨ４を備える。このため、液体の乾燥性に対応して該出力が設定されていることにより、複数の液体吐出部Ｄ１、Ｄ２、Ｄ３及びＤ４によって先に吐出されてから後に吐出されるまでの液体の乾燥状態のばらつきを低減することができる。
【００５４】
本発明の第６の態様の液体吐出装置１は、前記第５の態様において、前記出力は、前記液体の単位量当たりの乾燥時間に対応して設定されていることを特徴とする。
【００５５】
本態様によれば、前記出力は、前記液体の単位量当たりの乾燥時間に対応して設定されている。このため、例えば、前記液体の単位量当たりの乾燥時間の測定条件としての測定環境を液体吐出装置１の使用条件等に合せた出力とすることで、複数の液体吐出部Ｄ１、Ｄ２、Ｄ３及びＤ４によって先に吐出されてから後に吐出されるまでの液体の乾燥状態のばらつきを効果的に低減することができる。
【００５６】
本発明の第７の態様の液体吐出装置１は、前記第５又は第６の態様において、前記出力は、前記液体の乾燥性の比に対応して設定されていることを特徴とする。
【００５７】
本態様によれば、前記出力は、前記液体の乾燥性の比に対応して設定されている。このため、乾燥状態の相違が抑制され、複数の液体吐出部Ｄ１、Ｄ２、Ｄ３及びＤ４から吐出される各々の液体全てにおいて、複数の液体吐出部Ｄ１、Ｄ２、Ｄ３及びＤ４によって先に吐出されてから後に吐出されるまでの液体の乾燥状態のばらつきを低減することができる。
【符号の説明】
【００５８】
１  記録装置（液体吐出装置）、２  基体部、３  回転体、４  セット部、５  回転軸、
６  セット位置、７  押さえ部、８壁部、
Ｄ１、Ｄ２、Ｄ３及びＤ４  液体吐出部、
Ｈ１、Ｈ２、Ｈ３及びＨ４  ヒーター（乾燥部）、Ｍ  媒体、
Ｓ１、Ｓ２、Ｓ３及びＳ４  液体吐出部Ｄ１、Ｄ２、Ｄ３及びＤ４同士の間隔
【図１】
2016010864.tif 000003
【図２】
2016010864.tif 000004
【図３】
2016010864.tif 000005
【図４】
2016010864.tif 000006
【図５】
2016010864.tif 000007
【図６】
2016010864.tif 000008